(57)【要約】【課題】温度制御をより高精度に行いつつ、コネクタジャックによる接続の困難性を解消して、被施術者の不快感をなくすようにした電熱ロッドの電源供給構造の提供を図る。【解決手段】毛髪が巻かれる電熱ロッド１と、電熱ロッド１へ着脱可能に接続される電源供給用のコネクタ２とを備える。電熱ロッド１は、通電することにて発熱するヒータ１５と、温度センサ１６と、当該ヒータ１５を液密に被覆するケーシング１４とを備える。ケーシング１４は、上記のコネクタ２を連結することが可能な接続部１７を備え、この接続部に端子１１、１２、１３が同心円状に設けられたものである。コネクタ２は、上記のケーシング１４の端子に通電可能に接触し得る端子２１、２２、２３を備える。【選択図】          図１
2008167916.tif 000002
【特許請求の範囲】
【請求項１】
毛髪が巻かれる電熱ロッドと、電熱ロッドへ着脱可能に接続される電源供給用のコネクタとを備え、
電熱ロッドは、通電することにて発熱するヒータと、当該ヒータを液密に被覆するケーシングとを備え、
上記のケーシングは、上記のコネクタを連結することが可能な接続部を備え、この接続部に端子が設けられたものであり、
上記のコネクタは、上記のケーシングの端子に通電可能に接触し得る端子を備え、
この電熱ロッドの端子とコネクタの端子とは、その少なくともいずれか一方の端子が、中心端子と、この中心端子を中心にして環状に形成された環状端子とを備えたものであることを特徴とする電熱ロッドの電源供給構造。
【請求項２】
上記の電熱ロッドは、上記のヒータに加えて温度センサを備え、ヒータと温度センサに接続される３個の端子を備え、この３個の端子は位置する中心端子と、中心端子の外側に配置される内環状端子と、内環状端子の外側に配置される外環状端子とが同心円状に配置されたものであり、この３個の端子が配置された中央部分が、端子が配置されない周辺部分よりも凹んで形成されたものであり、
コネクタは、その先端面に中心端子に対応する位置に配置された中心端子と、内環状端子に対応する位置に配置された内端子と、外環状端子と対応する位置に配置された外端子との３つの端子を備え、
この電熱ロッドとコネクタとが、磁力により互いに着脱可能に吸着する磁着部を備えたものであることを特徴とする請求項１記載の電熱ロッドの電源供給構造。
【請求項３】
コネクタに設けられた各端子が、弾性体によって先端方向に常時付勢されていることを特徴とする請求項２記載の電熱ロッドの電源供給構造。
【発明の詳細な説明】
【技術分野】
【０００１】
本願発明は、電熱ロッドの電源供給構造及びパーマ装置に関するものであり、詳しくは、電熱ロッドを頭髪に巻きつけた後に、電源供給コネクタを接続し当該電熱ロッドを発熱させる、電熱ロッドの電源供給構造に関する。
【背景技術】
【０００２】
【特許文献１】特開２００３−１０２５３４号公報
【特許文献２】特開２００５−６５９７５号公報
【０００３】
従来より美容室などで行われている頭髪のパーマネントウェーブ処理（以下、パーマと記す）において、電熱ロッドを用いるものがある。
このパーマ用の電熱ロッドは、電源接続時に発熱するヒータ等の発熱部材を内蔵するものであり、この電熱ロッドに、カーリング剤を塗布した状態の頭髪を巻き付けた後、電熱ロッドを発熱させることにより、頭髪にウェーブを形成することができる。
【０００４】
この電熱ロッドには電気ケーブルが接続され、箱状などの形態を有するパーマ装置本体に備えられた電源から電力が供給される。この一例が下記の特許文献１である。即ち、上記の従来の技術では、電熱ロッドに電源を供給するために、電源に接続された電気ケーブルに電源供給コネクタジャックが設けられ、電熱ロッドと電源供給コネクタジャックとの連結部分が電気的な接点となり、電熱ロッドに当該コネクタジャックを接続することで電源を電熱ロッドへ供給しているのである。特許文献２は、電熱ロッドと電源供給コネクタとの連結部分に、電気的な接点ではなく、電磁誘導方式を採用したものである。
【０００５】
特許文献１の電気的接点方式の場合には、電熱ロッドに頭髪を巻きつけて電源供給用のコネクタジャックを挿入するが、挿入時ある一定以上の挿入力で押し込まないと通電不良が生じたり、脱着時強く引っ張らないとコネクタジャックを抜くことが出来ない。この時、電熱ロッドに巻きつけた毛髪が外れたり、電熱ロッドが引っ張られ被施術者に不快な思いをさせたりするという課題を有する。
他方、特許文献２にあっては、特許文献１の問題は解消されるものの、温度制御の制度に課題を残していた。
【発明の開示】
【発明が解決しようとする課題】
【０００６】
本願発明は、温度制御をより高精度に行いつつ、コネクタジャックによる接続の困難性を解消して、被施術者の不快感をなくすようにした電熱ロッドの電源供給構造を提供せんとするものである。
【課題を解決するための手段】
【０００７】
本願の請求項１に係る発明は、毛髪が巻かれる電熱ロッドと、電熱ロッドへ着脱可能に接続される電源供給用のコネクタとを備え、電熱ロッドは、通電することにて発熱するヒータと、当該ヒータを液密に被覆するケーシングとを備え、上記のケーシングは、上記のコネクタを連結することが可能な接続部を備え、この接続部に端子が設けられたものであり、上記のコネクタは、上記のケーシングの端子に通電可能に接触し得る端子を備え、この電熱ロッドの端子とコネクタの端子とは、その少なくともいずれか一方の端子が、中心端子と、この中心端子を中心にして環状に形成された環状端子とを備えたものであることを特徴とする電熱ロッドの電源供給構造を提供するものである。
本願の請求項２に係る発明は、上記の電熱ロッドは、上記のヒータに加えて温度センサを備え、ヒータと温度センサに接続される３個の端子を備え、この３個の端子は位置する中心端子と、中心端子の外側に配置される内環状端子と、内環状端子の外側に配置される外環状端子とが同心円状に配置されたものであり、この３個の端子が配置された中央部分が、端子が配置されない周辺部分よりも凹んで形成されたものであり、コネクタは、その先端面に中心端子に対応する位置に配置された中心端子と、内環状端子に対応する位置に配置された内端子と、外環状端子と対応する位置に配置された外端子との３つの端子を備え、この電熱ロッドとコネクタとが、磁力により互いに着脱可能に吸着する磁着部を備えたものであることを特徴とする請求項１記載の電熱ロッドの電源供給構造を提供する。
本願の請求項３に係る発明は、コネクタに設けられた各端子が、弾性体によって先端方向に常時付勢されていることを特徴とする請求項２記載の電熱ロッドの電源供給構造を提供する。
【発明の効果】
【０００８】
本願の請求項１に係る発明は、中心端子を中心にして環状に形成された環状端子とを備えたものであるため、着脱の方向性がなく、素早い着脱が実現する。本願の請求項２に係る発明は、それぞれの電熱ロッドに温度センサを備えており、それぞれの電熱ロッドについて高精度な温度管理が可能であると同時に、特定された接続構造によって、各端子を正確に位置合わせして、容易に接続できると共に、
磁力により電熱ロッドとコネタクとの脱落を防止できる。このように、コネクタの脱着を容易にできるため、被施術者に従来与えていた不快感を与えずに済み、施術者の作業性が向上し、理美容院（施術者）の作業負担を軽減させることができる。
【発明を実施するための最良の形態】
【０００９】
以下、図面を参照しつつ、本願発明の好ましい実施の形態について、説明する。図１は上記パーマ装置の使用状態を示す全体斜視図である。図２はこの装置に用いられる電熱ロッドの断面図である。図３は同電熱ロッドの正面図であり、図４は同電熱ロッドの回路図である。
【００１０】
図１に示すように、このパーマ装置は、交流電源（図示せず）を内蔵した操作制御部４と、この操作制御部４に接続された多数の電気ケーブル９と、各電気ケーブル９の先端に接続された電源供給用のコネクタ２と、このコネクタ２と着脱自在に接続されて被施術者Ｓの頭髪に巻かれる多数の電熱ロッド１とを備える。尚、上記の電気ケーブル９や電熱ロッド１の「多数」とは、複数であり、特に１０本以上という意味である。
【００１１】
図２、図３に示すように、電熱ロッド１側の給電用の端子１１、１２、１３は同心円状になっており電気ケーブル９の先端のコネクタ２側の差込時の方向性をなくすように構成されている。詳しくは、この給電用の端子１１、１２、１３は、外環状端子１１と、内環状端子１２と、中心端子１３とを備え、中心端子１３を中心として、内環状端子１２と外環状端子１１とが、同心円状に配置されている。この電熱ロッド１は、円筒形状のケーシング１４を備え、このケーシング１４内に通電することにて発熱するヒータ１５と、温度センサ１６とが配置されている。このケーシング１４の一方の端面に接続部１７が設けられ、この接続部１７の外部に、上記の端子１１、１２、１３が露出した状態で配置されている。
【００１２】
ケーシング１４内のヒータ１５としては、フィルムヒータなどの面状発熱体が適しており、このヒータ１５はケーシング１４の円筒状の壁面の内側に沿って配位される。温度センサ１６は、ケーシング１４の円筒状の壁面の温度（好ましくは外周面の温度であるが、内周面の温度でもよい）を感知する。給電用の端子１１、１２、１３は、中心端子１３と内環状端子１２とが温度センサ１６に接続され、内環状端子１２と外環状端子１１とがヒータ１５に接続されているが、この接続の対応関係は適宜変更し得る。また、端子の数は適宜変更でき、４個の端子として、ヒータ１５と温度センサ１６とにそれぞれ２個ずつの端子を接続してもよい。逆に、温度センサ１６を用いないのであれば、２個の端子として実施することもできる。中心端子１３は、この例では、中実の円形となっているが、他の端子１１、１２と同様、環状としてもよい。すなわち、３個の端子をすべてドーナツ状として、同心円状に配置してもよい。
【００１３】
このケーシング１４の接続部１７には、永久磁石などの磁着部１８が設けられている。この磁着部１８は、次に述べるコネクタ２に設けられる磁着部１９と対応して、電熱ロッド１とコネクタ２との接続状態を維持するものであり、両磁着部１８、１９はいずれか一方を永久磁石として他方を強磁性体とするか、双方を永久磁石とすればよい。両磁着部１８、１９は、磁力による吸着が行なわれればよく、必ずしも外部に露出して配置する必要とはない。また、この磁着部１８は、上記端子１１、１２、１３の外側に環状に配置されているが、端子間に配置するなど、いずれの吸着が可能であれば適宜変更し得る。
【００１４】
また、この実施の形態では、上記端子１１、１２、１３の設けられているケーシング１４の端面の中央部１７ａを、端面の周辺部分１７ｂよりも凹ませて、コネクタ２の先端を受け入れやすくし、端子同士の位置合わせを確実にするようにしているが、凹ませて配置する必要はなく、周辺部分と面一にしたり、逆に突出させるようにしてもよい。
【００１５】
次に、図５、図６を参照して、ケーブル９の先端に設けられたコネクタ２について説明する。このコネクタ２は、電熱ロッド１の端面の接続部１７に対して着脱可能に接続されるもので、その先端面に３つの端子２１、２２、２３と、前述の磁着部１９が配置されている。この端子２１、２２、２３は、外環状端子１１に接続される外端子２１と、内環状端子１２と接続される内端子２２と、中心端子１３と接続される中心端子２３とにより構成されており、電熱ロッド１の各端子１１、１２、１３の間隔と等しい間隔で配置されているが、環状である必要はなく（環状とすることを妨げない）、点状または面状の端子とすればよい。
【００１６】
また、この実施の形態では、上記端子２１、２２、２３の設けられているコネクタ２の端面の中央部２ａを、周辺部分２ｂよりも突出させて前記の電熱ロッド１の端面の中央に嵌め入れやすいものとしている。このように、もちろん、凸状に配置する必要はなく、周辺部分と面一にしたり、逆に凹ませるようにしてもよい。なお、この凹凸の嵌め合わせは、位置決め、対応する端子同士の位置が合致しやすいようにする位置決めが第１の目的であるため、強制嵌合である必要はない。着脱を容易にする観点からは、位置がずれない範囲で、比較的クリアランスを大きくすることが望ましい。
【００１７】
このコネクタ２は、操作制御部４に接続された３線ケーブル９の先端に結線されて取り付けられる。電熱ロッド１は、ケーブル９とは接続されていない状態で被施術者の頭髪に巻かれる。巻き終わった後、図７に示すように、コネクタ２の先端が電熱ロッド１の接続部１７に接続され、磁着される。この状態で、コネクタ２の３つの端子２１、２２、２３と、電熱ロッド１の各端子１１、１２、１３が接触して、通電可能となる。そして、操作制御部４を操作して、ヒータ１５を発熱させて頭髪を加熱する。この時、温度センサ１６は、ケーシング１４の円筒状の壁面付近の温度を検知することによって、より高精度な温度制御が可能となる。
【００１８】
図８は、上記の実施の形態の変更例を示すもので、この例では、接触圧を一定にするために、コネクタ２の端子２１、２２、２３を、先端方向に常時付勢するようにしたものであり、押しバネ３１によって端子２１、２２、２３を付勢するものである。図の例では、コイルスプリングを用いたが、板バネなどの他の金属バネであってもよく、合成樹脂やゴムなどの他の弾性体を用いることもできる。また、前述の実施の形態のほか、環状の端子をコネクタ２側に配位し、電熱ロッド１側に点または面接触の端子あるいは図８の押しバネの付勢を受けた端子を用いるようにしてもよい。
【図面の簡単な説明】
【００１９】
【図１】本願の実施の形態に係る電熱ロッドを用いたパーマ装置の使用状態を示す全体斜視図である。
【図２】本願の実施の形態に係る電熱ロッドの断面図である。
【図３】同電熱ロッドの正面図である。
【図４】同電熱ロッドの回路図である。
【図５】本願の実施の形態に係るコネクタの断面図である。
【図６】同コネクタの正面図である。
【図７】同コネクタと電熱ロッドの接続状態の断面図である。
【図８】同コネクタの変更例を示す要部断面図である。
【符号の説明】
【００２０】
１    電熱ロッド
２    コネクタ
９    ケーブル
１１  外環状端子
１２  内環状端子
１３  中心端子
１４  ケーシング
１５  ヒータ
１６  温度センサ
１７  接続部
２１  外端子
２２  内端子
２３  中心端子
３１  押しバネ
【図１】
2008167916.tif 000003
【図２】
2008167916.tif 000004
【図３】
2008167916.tif 000005
【図４】
2008167916.tif 000006
【図５】
2008167916.tif 000007
【図６】
2008167916.tif 000008
【図７】
2008167916.tif 000009
【図８】
2008167916.tif 000010